(57)【要約】【課題】サンプラの形状を簡素化して容易に土質の採取が可能であり、更に、故障が少なく、手入れも容易な土質採取装置を提供する。【解決手段】地中に挿入されるロッドに土質採取のためのサンプラ２０を設けた土質採取装置において、サンプラ２０は、略正方形状の断面を有する本体部材２１と、本体部材２１の側面に、本体部材２１の長手方向に沿って所定の間隔で配置された土質採取用の複数の略正方形状の開口部２３を備え、開口部の本体部材２１の長手方向に沿う中心線は、本体部材２１の長手方向に沿う中心線からオフセットされている。複数の開口部２３を画成する、本体部材２１正面側の側面２２は、第１の側面部２２ａと第２の側面部２２ｂを備え、第１の側面部２２ａは第２の側面部２２ｂより薄く形成され、第１の側面部２２ａに沿ってフランジ２４が一体的に形成されている。【選択図】図３
2013249627.tif 000002
【特許請求の範囲】
【請求項１】
地中に挿入されるロッドに土質採取のためのサンプラを設けた土質採取装置において、
前記サンプラは、略正方形状の断面を有する本体部材と、
前記本体部材の側面に、前記本体部材の長手方向に沿って所定の間隔で配置された土質採取用の複数の開口部を備え、
前記開口部の前記本体部材の長手方向に沿う中心線は、前記本体部材の長手方向に沿う中心線からオフセットされていることを特徴とする土質採取装置。
【請求項２】
前記本体部材の側面は、前記開口部を画成し、前記本体部材の長手方向に沿う第１の側面部と第２の側面部を備え、
前記第１の側面部は前記第２の側面部より薄く形成され、
前記第１の側面部に沿ってフランジが一体的に形成されていることを特徴とする請求項１に記載の土質採取装置。
【請求項３】
前記開口部は略正方形状であることを特徴とする請求項１に記載の土質採取装置。
【請求項４】
前記本体部材は、第１の本体部材と第２の本体部材を備え、
前記第１及び第２の本体部材は、連結部により連結されることを特徴とする請求項１に記載の土質採取装置。
【請求項５】
前記土質採取装置は、更に前記開口部を覆うためのシートを備えることを特徴とする請求項１に記載の土質採取装置。
【請求項６】
前記サンプラは、ステンレス製であることを特徴とする請求項１に記載の土質採取装置。
【発明の詳細な説明】
【技術分野】
【０００１】
本発明は土質採取装置に関し、特に地盤調査用の土質採取装置に関する。
【背景技術】
【０００２】
大手や中小を含めた住宅メーカーが、建築に際して必ず地盤調査を実施している。スウェーデン式サウンディング試験はＪＩＳ規格に制定された試験であり、その手軽さから現在では戸建住宅向けの地盤調査のほとんどが本試験によって実施されるに至っている。スウェーデン式サウンディング試験の結果は、土の硬軟又は締まり具合を判定するとともに、軟弱層の厚さや分布状況を把握できる。
【０００３】
このスウェーデン式サウンディング試験と併行して実施できる種々の土質採取装置が開発されており、この土質採取装置により、土質判定や含水比測定ができる。土質採取装置による採取作業は、スウェーデン式サウンディング試験により形成された調査孔を利用して行い、土質採取装置をロッドを介した先端から調査孔に挿入し、ロッドに接続されたハンドルを回転操作することにより、ロッドに設けられたサンプラに必要な土質を採取する。サンプラは、例えば、相対回転可能な二重筒状の内筒体と外筒体からなり、それぞれに採取口を設けて、内筒体と外筒体の相対回転によって採取口の開閉及びサンプル取込みを行う形状である（例えば、特許文献１参照）。
【先行技術文献】
【特許文献】
【０００４】
【特許文献１】特許第３８８４７２３号公報
【発明の概要】
【発明が解決しようとする課題】
【０００５】
しかしながら、従来の土質採取装置のサンプラは円筒形状であるため、調査孔に挿入の際の摩擦抵抗が大きく、挿入が難しい。また、従来のサンプラは複雑な形状であり、可動部分があるため、故障が多く、手入れも難しい。
【０００６】
したがって、本発明は、サンプラの形状を簡素化して容易に土質の採取が可能であり、更に、故障が少なく、手入れも容易な土質採取装置を提供することを課題とする。
【課題を解決するための手段】
【０００７】
本発明は上記課題を解決するためになされたものであり、本発明に係る土質採取装置は、地中に挿入されるロッドに土質採取のためのサンプラを設けた土質採取装置において、サンプラは、略正方形状の断面を有する本体部材と、本体部材の側面に、本体部材の長手方向に沿って所定の間隔で配置された土質採取用の複数の開口部を備え、開口部の本体部材の長手方向に沿う中心線は、本体部材の長手方向に沿う中心線からオフセットされていることを特徴とする。
【０００８】
この構成により、本発明に係る土質採取装置は、簡易な構造により、容易に土質の採取が可能となる。
【０００９】
より容易に、また確実に土質を採取するために、本発明に係る土質採取装置は、本体部材の側面部は、開口部を画成し、本体部材の長手方向に沿う第１の側面部と第２の側面部を備え、第１の側面部は第２の側面部より薄く形成され、第１の側面部に沿ってフランジが一体的に形成されていることが好ましい。
【００１０】
より容易に、また確実に土質を採取するために、開口部は略正方形状であることが好ましい。
【００１１】
本体部材は、第１の本体部材と第２の本体部材を備え、第１及び第２の本体部材は、連結部により連結されることが好ましい。本体部材が複数の部材から構成されることにより、一度に複数の深度の土質を容易に採取することが可能となる。
【００１２】
土質採取装置は、更に開口部を覆うためのシートを備えることが好ましい。シートを備えることにより、調査孔にサンプラを挿入した際に、目的の深度以外の土質の混入が避けられる。
【００１３】
サンプラは、ステンレス製であることが好ましい。サンプラがステンレス製の場合には、サンプラの耐久性が向上する。
【発明の効果】
【００１４】
本発明によれば、サンプラの形状を簡素化して容易に土質の採取が可能であり、更に、故障が少なく、手入れも容易な土質採取装置を提供することができる。
【図面の簡単な説明】
【００１５】
【図１】土質採取装置を示す外観図である。
【図２】中間サンプラの斜視図である。
【図３】（ａ）中間サンプラの正面図である。（ｂ）中間サンプラの右側面図である。
【図４】（ａ）先端サンプラの正面図である。（ｂ）先端サンプラの右側面図である。
【発明を実施するための形態】
【００１６】
以下、本発明の実施形態に係る土質採取装置１０について、図面を参照して説明する。図１は土質採取装置１０を示す外観図であり、図２は中間サンプラ２０（第１の本体部材）の斜視図、図３（ａ）はその正面図であり、図３（ｂ）はその右側面図である。図４（ａ）は先端サンプラ３０（第２の本体部材）の正面図であり、図４（ｂ）はその右側面図である。ここでは、中間サンプラ２０の長手方向（軸方向）に沿って設けられた開口部２３の形成された側面２２を正面とする。
【００１７】
図１に示すように、本発明の実施形態に係る土質採取装置１０は、ロッド１２と、ロッド１２の一端に連結部材１３により取り付けられたハンドル１１と、連結部（図示せず）によりロッド１２の多端に設けられた土質採取のための中間サンプラ２０と、中間サンプラ２０に設けられた土質採取のための先端サンプラ３０とを備える。ロッド１２は、例えば１本のロッドより構成されるか、又は複数のロッド１２を連結することにより所望の長さとする。ロッド１２とハンドル１１は、スウェーデン式サウンディング試験に用いるロッドとハンドルを用いても構わない。中間サンプラ２０と先端サンプラ３０とは、調査孔に対して抵抗の少ない大きさに設定し、例えばロッド１２の半径と中間サンプラ２０と先端サンプラ３０の断面形状の対角線の長さを略等しくなるように設定する。
【００１８】
図２、３に示すように、中間サンプラ２０は、略四角柱の形状の本体部材２１の両端に、円筒形状の右側連結部２５と左側連結部２６を備えた構成である。図３（ｂ）に示すように、中間サンプラ２０の本体部材２１の断面は略正方形状となっている。中間サンプラ２０は、本体部材２１の側面２２に、本体部材２１の長手方向に沿って所定の間隔で配置された土質採取用の複数の開口部２３を備える。開口部２３は略正方形状に形成され、側面２２から対向する側面（図示せず）に向かって貫通している。
【００１９】
開口部２３の本体部材２１の長手方向に沿う中心線(図示せず)は、本体部材２１の長手方向に沿う中心線（図示せず）からオフセットされている。つまり、複数の開口部２３を画成する、本体部材２１正面側の側面２２は、第１の側面部２２ａと第２の側面部２２ｂを備え、第１の側面部２２ａは第２の側面部２２ｂより薄く形成されている。第１の側面部２２ａに沿ってフランジ２４が一体的に形成されている。つまり、本実施形態においては、図２に矢印Ａで示す方向（上から見た右回転方向）を土質を採取する際のハンドル操作による回転方向と定義すると、回転方向に対して開口部２３の後方側である第１の側面部２２ａは第２の側面部２２ｂより薄く形成され、フランジ２４が側面２２から突出した形状となっている。
【００２０】
右側連結部２５及び左側連結部２６は、軸方向に沿って他の部材（ロッド１２、先端サンプラ３０等）と連結するために設けられている。他の部材との連結は、嵌合による連結方法、各部材に夫々接合用のねじ部を形成し、螺合により連結する方法、又は別部材としてジョイントを設け、ジョイントにより連結する方法であっても構わない。各部材の組み付けが螺合による場合には、図２において矢印Ａで示す、土質採取の際のハンドル１１の回転方向と螺合する方向が一致するように構成する。
【００２１】
図２、３に示す中間サンプラ２０の一端には、更に土質採取のための先端サンプラ３０が設けられる。先端サンプラ３０は、中間サンプラ２０と同様の構成であるが、左側が調査孔に土質採取装置１０を挿入するための挿入部３６となっている点で中間サンプラ２０と異なっている。
【００２２】
図４に示すように、先端サンプラ３０は、略四角柱の形状の本体部材３１の右端に円筒形状の右側連結部３５を備え、左端に円錐状に形成された挿入部３６を備える。図３（ｂ）に示すように、先端サンプラ３０の本体部材３１の断面は略正方形状となっている。先端サンプラ３０は、本体部材３１の側面３２に、本体部材３１の長手方向に沿って所定の間隔で配置された土質採取用の複数の開口部３３を備える。開口部３３は略正方形に形成され、側面３２から対向する側面（図示せず）に向かって貫通している。
【００２３】
先端サンプラ３０においても、開口部３３の本体部材３１の長手方向に沿う中心線(図示せず)は、本体部材３１の長手方向に沿う中心線（図示せず）からオフセットされている。つまり、複数の開口部３３を画成する、本体部材３１正面側の側面３２は、第１の側面部３２ａと第２の側面部３２ｂを備え、第１の側面部３２ａは第２の側面部３２ｂより薄く形成されている。第１の側面部３２ａに沿ってフランジ３４が一体的に形成されている。つまり、本実施形態においては、土質を採取する際のハンドル操作による回転方向に対して開口部３３の後方側である第１の側面部３２ａは第２の側面部３２ｂより薄く形成され、フランジ３４が突出した形状となっている。
【００２４】
右側連結部３５は、軸方向に沿って他の部材（中間サンプラ２０等）と連結するために設けられている。他の部材との連結は、上記したように、どのような方法であっても構わない。各部材の組み付けがねじ込みによる場合には、図２において矢印Ａで示す、土質採取の際のハンドル１１の回転方向と一致する方向とする。なお、中間サンプラ２０と先端サンプラ３０とサンプラは、耐久性を持たせるためにステンレス製であることが好ましい。
【００２５】
次に、本発明の実施形態に係る土質採取装置１０による土質採取方法について説明する。土質採取装置１０による採取作業は、スウェーデン式サウンディング試験により形成された調査孔（図示せず）を利用して行う。土質採取装置１０の操作者は、ハンドル１１を把持し、先端サンプラ３０の挿入部３６を調査孔に挿入し、調査したい深度に先端サンプラ３０と中間サンプラ２０が到達するように挿入する。所望の深度に先端サンプラ３０と中間サンプラ２０が到達すると、ハンドル１１を右回転（図２の矢印Ａの方向）に回転させる。ハンドル１１を回転させると、先端サンプラ３０及び中間サンプラ２０のフランジ３４、２４が調査孔内壁の土を採取し、採取された土が各開口部３３、２３に挿入される。ハンドル１１を数回回転させた後、土質採取装置１０を引く抜くことにより採取操作は終了する。なお、多くの土質が必要な場合には、この操作を繰り返し行う。
【００２６】
以上示したように、本発明の実施形態に係る土質採取装置１０では、中間サンプラ２０と先端サンプラ３０は、本体部材２１、３１が略正方形状の断面を有するため、調査孔に容易に挿入及び引き抜きすることが可能となる。このように、挿入及び引き抜きが容易となったことにより、一度に複数の深度の土質が採取できる。
【００２７】
また、本発明の実施形態に係る土質採取装置１０では、本体部材２１、３１の側面２２、３２に、本体部材２１、３１の長手方向に沿って所定の間隔で配置された土質採取用の複数の略正方形状の開口部２３、３３を備え、開口部２３、３３の本体部材２１、３１の長手方向に沿う中心線は、本体部材２１、３１の長手方向に沿う中心線からオフセットされている構成、つまり第１の側面部２２ａ、３２ａは第２の側面部２２ｂ、３２ｂより薄く形成された構成であるため、土質採取の際に、厚い第２の側面部２２ｂ、３２ｂで中間サンプラ２０及び先端サンプラ３０の強度を確保しながら、容易にまた確実に土質の採取が可能となる。
【００２８】
更に、本発明の実施形態に係る土質採取装置１０では、開口部２３、３３を画成する第１の側面部２２ａ、３２ａに沿ってフランジ２４、３４が形成されている構成であるため、土質採取の際の土の採取が容易となり、従来のサンプラでは採取しにくいとされていた、砂や含水比の高いシルト、粘土、腐食土であっても、容易にまた確実に採取できる。
【００２９】
このように、本発明の実施形態に係る土質採取装置１０では、従来のサンプラと比較すると可動部分のない、簡素化された単純な形状としているため、容易にまた確実に土質の採取を可能としながら、故障が少なく、手入れも容易となる。また、ステンレス製とすることで、強度が確保され、耐久性も向上する。
【００３０】
なお、本実施形態では、中間サンプラ２０と先端サンプラ３０の２つのサンプラにより構成したが、採取する深度に応じて、中間サンプラ２０を複数備える構成、また、中間サンプラ２０又は先端サンプラ３０のいずれかのみとする構成であっても構わない。先端サンプラ３０を設けない場合には、挿入のために、中間サンプラ２０の先端に、スウェーデン式サウンディング試験で用いるスクリュポイント等の挿入部材を設ける構成とする。
【００３１】
また、開口部２３、３３を覆うためのビニルシート等のシートを備える構成としても構わない。シートは先端部に所定の方法で取り付け、土質採取装置１０を調査孔に挿入する際に開口部２３、３３を塞ぐようにして挿入する。目的深度に中間サンプラ２０と先端サンプラ３０が到達すると、一度ハンドル１１を引き上げることにより、シートを開口部２３、３３から開放する。このように、シートを備えることにより、調査孔にサンプラを挿入した際に、目的の深度以外の土質の混入が避けられる。
【００３２】
なお、本実施形態では、スウェーデン式サウンディング試験で形成された調査孔を利用する採取方法について説明したが、スウェーデン式サウンディング試験で形成された調査孔以外の孔に挿入し、土質調査することも可能である。また、開口部２３、３３は対向する側面に向かって貫通している構成としたが、貫通しない構成としても構わない。
【符号の説明】
【００３３】
１０  土質採取装置
１１  ハンドル
１２  ロッド
２０  中間サンプラ（第１の本体部材）
２１  本体部材
２２  側面
２２ａ  第１の側面部
２２ｂ  第２の側面部
２３  開口部
２４  フランジ
３０  先端サンプラ（第２の本体部材）
３１  本体部材
３２  側面
３２ａ  第１の側面部
３２ｂ  第２の側面部
３３  開口部
３４  フランジ
３６  挿入部
【図１】
2013249627.tif 000003
【図２】
2013249627.tif 000004
【図３】
2013249627.tif 000005
【図４】
2013249627.tif 000006